(57)【要約】【課題】  手間をかけることなく携帯電話のユーザが所望とする画像をテレビ等の大画面に出力したりできるようにする。【解決手段】  デジタルカメラ３において取得した画像データを識別情報を付与して保存する。また、この画像データのサムネイル画像データを識別情報を付与して携帯電話５に保存する。携帯電話５において所望とするサムネイル画像データを表示して、その識別情報をデジタルカメラ３に送信する。デジタルカメラ３は受信した識別情報が付与された画像データをテレビ７またはプリント９に出力する。【選択図】          図１
2005340998.tif 000002
【特許請求の範囲】
【請求項１】
画像に識別情報を付与して保存する画像保存手段と、
前記画像を出力する画像出力手段と、
各種情報の送受信を行う通信手段と、
前記画像に前記識別情報を付与して画像表示装置に送信し、該画像表示装置が送信した前記識別情報を受信し、該受信した識別情報が付与された画像を出力するよう、前記画像保存手段、前記画像出力手段および前記通信手段を制御する出力制御手段とを備えたことを特徴とする画像出力装置。
【請求項２】
前記画像表示装置の表示特性に応じて前記画像のサイズおよび／または画質を向上させる画像処理を施す画像処理手段をさらに備え、
前記出力制御手段は、該画像処理が施された画像に前記識別情報を付与して前記画像表示装置に送信するよう、前記画像処理手段および前記通信手段を制御する手段であることを特徴とする請求項１記載の画像出力装置。
【請求項３】
前記出力制御手段は、前記画像表示装置が送信した識別情報を受信すると、該受信した識別情報が付与された画像が前記画像保存手段に保存されているか否かを判定し、判定結果を表す情報を前記画像表示装置に送信するよう前記通信手段を制御する手段であることを特徴とする請求項１または２記載の画像出力装置。
【請求項４】
識別情報が付与された画像を保存する画像保存手段と、
前記画像を表示する画像表示手段と、
各種情報の送受信を行う通信手段と、
所望とする画像を表示し、前記画像保存手段に保存された画像と同一の画像を前記識別情報を付与して保存して該画像を出力する機能を有する画像出力装置に、前記表示された所望とする画像に付与された識別情報を送信するよう前記画像保存手段、前記画像表示手段、および前記通信手段を制御する表示制御手段とを備えたことを特徴とする画像表示装置。
【請求項５】
前記画像出力装置が、前記送信した識別情報を受信すると、該受信した識別情報が付与された画像を保存しているか否かを判定し、判定結果を表す情報を返信する機能を有する場合、前記表示制御手段は、該判定結果を表す情報を参照して前記所望とする画像が前記画像出力装置に保存されているか否かを識別可能に前記画像表示手段に表示するよう、前記画像表示手段を制御する手段であることを特徴とする請求項４記載の画像表示装置。
【請求項６】
請求項１から３のいずれか１項記載の画像出力装置と、
請求項４または５記載の画像表示装置とを備えたことを特徴とする画像出力システム。
【請求項７】
撮影機能を有する画像表示装置が取得した、識別情報が付与された画像を保存する画像保存手段と、
前記画像を出力する画像出力手段と、
各種情報の送受信を行う通信手段と、
前記画像表示装置が送信した画像を保存し、前記画像表示装置が送信した識別情報を受信すると、該受信した識別情報が付与された画像を出力するよう前記画像保存手段、前記画像出力手段および前記通信手段を制御する出力制御手段とを備えたことを特徴とする画像出力装置。
【請求項８】
前記画像保存手段は、前記画像に、前記画像を取得した画像表示装置を識別する装置識別情報を付与して保存する手段であり、
前記出力制御手段は、前記画像表示装置がさらに送信した装置識別情報および前記識別情報を受信し、該装置識別情報および該識別情報が付与された画像を出力するよう前記画像出力手段を制御する手段であることを特徴とする請求項７記載の画像出力装置。
【請求項９】
撮影により画像を取得する撮影手段と、
該画像に識別情報を付与して、該画像を出力する画像出力装置に転送可能に出力する画像転送出力手段と、
前記画像を縮小し、該縮小された縮小画像を前記識別情報を付与して保存する画像保存手段と、
前記縮小画像を表示する画像表示手段と、
各種情報の送受信を行う通信手段と、
所望とする縮小画像を表示し、前記識別情報が付与された画像を保存して該画像を出力する機能を有する画像出力装置に、前記表示された所望とする縮小画像に付与された識別情報を送信するよう、前記画像保存手段、前記画像表示手段および前記通信手段を制御する表示制御手段とを備えたことを特徴とする画像表示装置。
【請求項１０】
前記表示制御手段は、前記所望とする縮小画像に付与された識別情報とともに、自身を識別する装置識別情報を前記画像出力装置に送信するよう前記通信手段を制御する手段であることを特徴とする請求項９記載の画像表示装置。
【請求項１１】
請求項６または７記載の画像出力装置と、
請求項９または１０記載の画像表示装置とを備えたことを特徴とする画像出力システム。
【発明の詳細な説明】
【技術分野】
【０００１】
本発明は、保存された画像をディスプレイに表示したり、プリント出力したりする画像出力装置、画像をディスプレイに表示する画像表示装置および画像出力装置と画像表示装置とを備えた画像出力システムに関するものである。
【背景技術】
【０００２】
メガピクセル級の画像を撮影することができ、さらに画像をメモリカードに保存する機能を備えたカメラ付き携帯電話が提案されている。このようなカメラ付き携帯電話を用いることにより、撮影により取得した画像を携帯電話に保存して持ち歩くことができるため、好きなときに画像を表示したり友人に見せたりして楽しむことができる。
【０００３】
ところで、携帯電話の表示画面はテレビ等と比較すると小さいため、携帯電話に保存しておく画像のサイズは比較的小さいものであってもよい。このため、デジタルカメラ等により取得した画像については、サイズを小さくして携帯電話に保存するようにすれば、画像の容量を削減することができるため非常に好ましい。この場合、サイズを変更する前の画像はデジタルカメラに保存され、携帯電話にはデジタルカメラに保存された画像のサムネイル画像が保存されることとなる。
【０００４】
このように、デジタルカメラ等により保存された画像を携帯電話等の他の装置に送信するための各種システムが提案されている（特許文献１，２参照）。特許文献１のシステムは、デジタルカメラに保存された画像を無線通信手段を介して携帯電話等の他の装置に送信するものである。特許文献２のシステムは、デジタルカメラから携帯電話に画像を送信する際に、画像のファイル名を携帯電話が指定したファイル名に変換するものである。
【特許文献１】特開２００１−２３０９９９号公報
【特許文献２】特開２００３−８８１６号公報
【発明の開示】
【発明が解決しようとする課題】
【０００５】
ところで、上述したように携帯電話にサムネイル画像を保存している場合において、テレビ等の大画面に画像を鮮明に表示して見たい場合がある。このような場合、携帯電話に保存されている画像はサムネイル画像であり、テレビのような大画面に鮮明に表示するのに適さない。このため、デジタルカメラ等の元の画像を保存している画像出力装置をテレビと接続して、画像出力装置に保存されている縮小前の元の画像を表示することにより、鮮明な画像をテレビに表示して楽しむことができる。
【０００６】
しかしながら、画像出力装置には大量の画像が保存されているため、その中から所望とする画像を選択する作業を行うには相当の手間を要することとなる。
【０００７】
本発明は上記事情に鑑みなされたものであり、手間をかけることなく所望とする画像をテレビ等の大画面に出力したりプリント出力したりできるようにすることを目的とする。
【課題を解決するための手段】
【０００８】
本発明による第１の画像出力装置は、画像に識別情報を付与して保存する画像保存手段と、
前記画像を出力する画像出力手段と、
各種情報の送受信を行う通信手段と、
前記画像に前記識別情報を付与して画像表示装置に送信し、該画像表示装置が送信した前記識別情報を受信し、該受信した識別情報が付与された画像を出力するよう、前記画像保存手段、前記画像出力手段および前記通信手段を制御する出力制御手段とを備えたことを特徴とするものである。
【０００９】
「画像を出力する」とは、ディスプレイに画像を出力して再生すること、プリンタに画像を出力してプリントを得ること、およびネットワーク接続された装置に画像を送信すること等、外部の任意の装置に出力することを意味する。
【００１０】
なお、本発明による第１の画像出力装置においては、前記画像表示装置の表示特性に応じて前記画像のサイズおよび／または画質を向上させる画像処理を施す画像処理手段をさらに備えるものとし、
前記出力制御手段を、該画像処理が施された画像に前記識別情報を付与して前記画像表示装置に送信するよう、前記画像処理手段および前記通信手段を制御する手段としてもよい。
【００１１】
「表示特性」とは、画像表示装置が有する画像表示手段のサイズ、明るさ、階調等の表示された画像の画質に影響を与える特性を意味する。
【００１２】
また、本発明による第１の画像出力装置においては、前記出力制御手段を、前記画像表示装置が送信した識別情報を受信すると、該受信した識別情報が付与された画像が前記画像保存手段に保存されているか否かを判定し、判定結果を表す情報を前記画像表示装置に送信するよう前記通信手段を制御する手段としてもよい。
【００１３】
本発明による第１の画像表示装置は、識別情報が付与された画像を保存する画像保存手段と、
前記画像を表示する画像表示手段と、
各種情報の送受信を行う通信手段と、
所望とする画像を表示し、前記画像保存手段に保存された画像と同一の画像を前記識別情報を付与して保存して該画像を出力する機能を有する画像出力装置に、前記表示された所望とする画像に付与された識別情報を送信するよう前記画像保存手段、前記画像表示手段、および前記通信手段を制御する表示制御手段とを備えたことを特徴とするものである。
【００１４】
なお、本発明による第１の画像表示装置においては、前記画像出力装置が、前記送信した識別情報を受信すると、該受信した識別情報が付与された画像を保存しているか否かを判定し、判定結果を表す情報を返信する機能を有する場合、前記表示制御手段を、該判定結果を表す情報を参照して前記所望とする画像が前記画像出力装置に保存されているか否かを識別可能に前記画像表示手段に表示するよう、前記画像表示手段を制御する手段としてもよい。
【００１５】
本発明による第１の画像出力システムは、本発明による第１の画像出力装置と、
本発明による第１の画像表示装置とを備えたことを特徴とするものである。
【００１６】
本発明による第２の画像出力装置は、撮影機能を有する画像表示装置が取得した、識別情報が付与された画像を保存する画像保存手段と、
前記画像を出力する画像出力手段と、
各種情報の送受信を行う通信手段と、
前記画像表示装置が送信した画像を保存し、前記画像表示装置が送信した識別情報を受信すると、該受信した識別情報が付与された画像を出力するよう前記画像保存手段、前記画像出力手段および前記通信手段を制御する出力制御手段とを備えたことを特徴とするものである。
【００１７】
なお、本発明による第２の画像出力装置においては、前記画像保存手段を、前記画像に、前記画像を取得した画像表示装置を識別する装置識別情報を付与して保存する手段とし、
前記出力制御手段を、前記画像表示装置がさらに送信した装置識別情報および前記識別情報を受信し、該装置識別情報および該識別情報が付与された画像を出力するよう前記画像出力手段を制御する手段としてもよい。
【００１８】
本発明による第２の画像表示装置は、撮影により画像を取得する撮影手段と、
該画像に識別情報を付与して、該画像を出力する画像出力装置に転送可能に出力する画像転送出力手段と、
前記画像を縮小し、該縮小された縮小画像を前記識別情報を付与して保存する画像保存手段と、
前記縮小画像を表示する画像表示手段と、
各種情報の送受信を行う通信手段と、
所望とする縮小画像を表示し、前記識別情報が付与された画像を保存して該画像を出力する機能を有する画像出力装置に、前記表示された所望とする縮小画像に付与された識別情報を送信するよう、前記画像保存手段、前記画像表示手段および前記通信手段を制御する表示制御手段とを備えたことを特徴とするものである。
【００１９】
なお、本発明による第２の画像表示装置においては、前記表示制御手段を、前記所望とする縮小画像に付与された識別情報とともに、自身を識別する装置識別情報を前記画像出力装置に送信するよう前記通信手段を制御する手段としてもよい。
【００２０】
本発明による第２の画像出力システムは、本発明による第２の画像出力装置と、
本発明による第２の画像表示装置とを備えたことを特徴とするものである。
【発明の効果】
【００２１】
本発明の第１の画像出力装置および第１の画像表示装置を備えた画像出力システムによれば、画像出力装置が画像に識別情報を付与して保存するとともに、識別情報が付与された画像を画像表示装置に送信する。これにより、画像表示装置は識別情報が付与された画像を保存する。画像表示装置のユーザは、保存された画像を見て所望とする画像を画像表示手段に表示する。そして、所望とする画像に付与された識別情報を画像出力装置に送信する。画像出力装置は識別情報を受信し、受信した識別情報が付与された画像を出力する。
【００２２】
このため、画像表示装置のユーザは、自身が所望とする画像を画像表示装置に表示し、所望とする画像の識別情報を画像出力装置に送信するのみで、多数の画像から所望とする画像を探し出す作業を行うことなく、所望とする画像を出力することができる。
【００２３】
また、画像出力装置において、画像表示装置の表示特性に応じて画像のサイズおよび／または画質を向上させる画像処理を施すことにより、画像表示装置にその表示特性に応じた高画質の画像を表示することができる。とくに、画像表示装置の画像表示手段の表示サイズが小さい場合に画像のサイズを縮小することにより、画像表示装置の画像保存手段に保存される画像の容量を低減することができる。
【００２４】
また、画像出力装置において、受信した識別情報が付与された画像を保存しているか否かを判定し、判定結果を表す情報を画像表示装置に送信し、画像表示装置において、送信した識別情報が付与された画像が画像出力装置に保存されているか否かを識別可能に表示することにより、所望とする画像が画像出力装置に保存されているか否かを一見して認識することができる。
【００２５】
本発明の第２の画像出力装置および第２の画像表示装置を備えた画像出力システムによれば、撮影機能を有する画像表示装置が、撮影により取得した画像を縮小し、縮小画像に識別情報を付与して保存するとともに、識別情報が付与された縮小前の画像を画像出力装置に送信する。これにより、画像出力装置は識別情報が付与された画像を保存する。画像表示装置のユーザは、保存された縮小画像のうち所望とする縮小画像を画像表示手段に表示する。そして、所望とする縮小画像に付与された識別情報を画像出力装置に送信する。画像出力装置は識別情報を受信し、受信した識別情報が付与された画像を出力する。
【００２６】
このため、画像表示装置のユーザは、自身が所望とする縮小画像を画像表示装置に表示し、所望とする縮小画像に付与された識別情報を画像出力装置に送信するのみで、多数の画像から所望とする縮小画像に対応する画像を探し出す作業を行うことなく、所望とする画像を出力することができる。
【００２７】
また、画像出力装置において、画像を取得した画像表示装置を識別する装置識別情報を画像に付与して保存し、画像表示装置において、自身を識別する装置識別情報を識別情報とともに画像出力装置に送信することにより、画像出力装置は、受信した装置識別情報および識別情報が付与された画像のみを出力するようにしてもよい。これにより、画像出力装置は、画像出力の操作を行っている画像表示装置が画像出力装置に送信した画像のみを出力し、他の画像表示が画像出力装置に送信した画像は出力しないこととなり、その結果、ユーザが所持する画像表示装置において取得した画像が他人に見られてしまうことを防止することができる。
【発明を実施するための最良の形態】
【００２８】
以下、図面を参照して本発明の実施形態について説明する。図１は本発明の第１の実施形態による画像出力システムの構成を示す概略ブロック図である。図１に示すように第１の実施形態による画像出力システム１は、デジタルカメラ３、携帯電話５、テレビ７およびプリンタ９を備える。
【００２９】
デジタルカメラ３は、撮影により画像を取得し、メモリカードに画像を保存する。図２はデジタルカメラの構成を示す概略ブロック図である。図２に示すように、デジタルカメラ３には、被写体像を受光面に結像させて光電変換し、画像データとして出力する撮像部２０と、デジタルカメラ３全体の制御を行うとともに画像データのサンプリングタイミング制御、画像データの記録制御、通信制御および表示制御等の制御を行うＣＰＵ２２と、画像サイズを変更する処理、並びにシャープネス補正、ガンマ補正、コントラスト補正およびホワイトバランス補正等の画像データにより表される画像の画質を向上させるセットアップ処理を行う信号処理部２４と、アナログ情報の画像データをデジタルの画像データに変換するＡ／Ｄ変換器２６と、ストロボ２８と、ストロボ２８の操作を制御するストロボ制御部３０と、種々の指示をデジタルカメラ３に対して行うための入力部３２と、入力部３２の設定情報を入力するインターフェースであるＩ／Ｏ３４とが設けられている。
【００３０】
また、デジタルカメラ３には、画像データをＪＰＥＧやモーションＪＰＥＧに代表される手法で圧縮したり、圧縮した画像データを解凍する圧縮解凍部３６と、メモリカードスロット３８に着脱可能に装着されたメモリカード１０に画像データを記録したり読み出したりするために画像データを変換するカードインターフェース４２とが設けられている。
【００３１】
また、デジタルカメラ３には、ＣＰＵ２２の動作プログラム等のソフトウェアや各種定数が記録されているＲＯＭおよびＣＰＵ２２が処理を実行する際の作業領域となるＲＡＭにより構成されるシステムメモリ４４と、デジタルカメラ３の各種設定定数を電源遮断後も記録し続けることが可能な書き替え可能な不揮発性メモリ４６と、タイマ撮影時に駆動されるタイマ４８と、現在の時刻を刻むカレンダ時計５０と、各種情報をアンテナ１２を介して無線通信によって送受信する場合に用いる無線インターフェース５２と、画像データや各種情報をコネクタ１４を介して有線通信によってテレビ７およびプリンタ９と送受信する場合に用いるＵＳＢ、ＩＥＥＥ１３９４、Ｅｔｈｅｒｎｅｔ（登録商標）等の規格の有線インターフェース５３と、画像データを液晶モニタ（ＬＣＤ）１６に表示するためのＤ／Ａ変換等を行うＬＣＤ制御部５４と、ＣＰＵ２２から指令される表示用の画像データを一時的に記録しておくＶＲＡＭ等で構成されているフレームメモリ５６と、ＣＰＵ２２から指令されるコード情報を表示する文字やメッセージデータに変換して画像とともにオンスクリーンディスプレイするＯＳＤ５８とが設けられている。なお、電力を各部へ供給するバッテリ６０も設けられている。
【００３２】
ここで、無線Ｉ／Ｆ５２としては、ブルーツース、無線ＬＡＮ、赤外線通信等、任意の手法により無線通信を行うものを用いることができる。
【００３３】
そしてＣＰＵ２２がシステムメモリ４４から各種プログラムを読み出して実行することにより、ＣＰＵ２２が出力制御手段として機能する。
【００３４】
なお、上記デジタルカメラ３において、アンテナ１２を介して携帯電話５等の他の機器と情報の送受信を行う際には、情報を電波信号または光信号に変換して無線で通信を行う。また、コネクタ１４を介してテレビ７およびプリンタ９等の他の機器と情報の送受信を行う際には、情報の送受信を行うお互いの機器間をケーブルで接続し、情報を電気信号または光信号に変換して有線で通信を行う。
【００３５】
また、撮像部２０により取得された画像データは、信号処理部２４により画像処理が施された後、Ａ／Ｄ変換部２６によりデジタルの画像データに変換され、さらに圧縮処理部３６において圧縮されてメモリカード１０に記録される。
【００３６】
携帯電話５は、カメラ付きの携帯電話であり、デジタルカメラ３が取得した画像の転送を受け、この画像を保存するとともに、自身が撮影により取得し画像も保存する。図３は携帯電話の構成を示す概略ブロック図である。図３に示すように、携帯電話５には、被写体像を受光面に結像させて光電変換し、画像データとして出力する撮像部７０と、携帯電話５全体の制御を行うとともに画像データのサンプリングタイミング制御、画像データの記録制御、通信制御および表示制御等の制御を行うＣＰＵ７２と、画像サイズを変更する処理、並びにシャープネス補正、ガンマ補正、コントラスト補正およびホワイトバランス補正等の画像データにより表される画像の画質を向上させるセットアップ処理を行う信号処理部７４と、アナログ情報の画像データをデジタルの画像データに変換するＡ／Ｄ変換器７６と、種々の指示を携帯電話５に対して行うための入力部８２と、入力部８２の設定情報を入力するインターフェースであるＩ／Ｏ８４とが設けられている。
【００３７】
また、携帯電話５には、画像データをＪＰＥＧやモーションＪＰＥＧに代表される手法で圧縮したり、圧縮した画像データを解凍する圧縮解凍部８６と、メモリカードスロット８８に着脱可能に装着されたメモリカード１２０に画像データを記録したり読み出したりするために画像データを変換するカードインターフェース９２とが設けられている。
【００３８】
また、携帯電話５には、ＣＰＵ７２の動作プログラム等のソフトウェアや各種定数が記録されているＲＯＭおよびＣＰＵ７２が処理を実行する際の作業領域となるＲＡＭにより構成されるシステムメモリ９４と、携帯電話５の各種設定定数を電源遮断後も記録し続けることが可能な書き替え可能な不揮発性メモリ９６と、現在の時刻を刻むカレンダ時計１００と、各種情報をアンテナ１２２を介して無線通信によって送受信する場合に用いる無線インターフェース１０２と、画像データを液晶モニタ（ＬＣＤ）１２６に表示するためのＤ／Ａ変換等を行うＬＣＤ制御部１０４と、ＣＰＵ４２から指令される表示用の画像データを一時的に記録しておくＶＲＡＭ等で構成されているフレームメモリ１０６と、ＣＰＵ４２から指令されるコード情報を表示する文字やメッセージデータに変換して画像とともにオンスクリーンディスプレイするＯＳＤ１０８とが設けられている。なお、電力を各部へ供給するバッテリ１１０も設けられている。また、公衆回線と無線通信することにより、通話や電子メールの送受信を行うための公衆回線用無線通信部１１２も設けられている。
【００３９】
そしてＣＰＵ４２がシステムメモリ９４から各種プログラムを読み出して実行することにより、ＣＰＵ４２が表示制御手段として機能する。
【００４０】
なお、上記携帯電話５において、アンテナ１２２を介して携帯電話５等の他の機器と情報の送受信を行う際には、情報を電波信号または光信号に変換して無線で通信を行う。
【００４１】
また、撮像部７０により取得された画像データは、信号処理部７４により画像処理が施された後、Ａ／Ｄ変換部７６によりデジタルの画像データに変換され、さらに圧縮処理部８６において圧縮されてメモリカード１２０に記録される。
【００４２】
次いで、第１の実施形態において行われる処理について説明する。まず、デジタルカメラ３のメモリカード１０に記録された画像データの携帯電話５への送信について説明する。図４は第１の実施形態において画像データの送信時に行われる処理を示すフローチャートである。なお、画像データの送信時においては、デジタルカメラ３はテレビ７およびプリンタ９と接続されていなくてもよい。
【００４３】
ユーザがデジタルカメラ３の入力部３２を用いてデジタルカメラ３のモードを通信モードに切り替え、ＣＰＵ２２が画像送信プログラムを起動することにより処理が開始される。また、ユーザは携帯電話５についても入力部８２を用いて携帯電話５のモードを通信モードに切り替える。まず、ＣＰＵ２２は無線Ｉ／Ｆ５２によりデジタルカメラ３と携帯電話５との通信を確立する（ステップＳＴ１）。通信が確立すると、携帯電話５のＣＰＵ７２は自身のＬＣＤ１２６のサイズ、明るさ、色の特性等の表示特性を表す情報をデジタルカメラ３に送信する（ステップＳＴ２）。
【００４４】
デジタルカメラ３のＣＰＵ２２は携帯電話５が送信した情報に基づいて携帯電話５の表示特性を判別する（ステップＳＴ３）。そして、携帯電話５のＬＣＤ１２６のサイズに適合するように、メモリカード１０に記録された画像データにより表される画像のサイズを縮小してサムネイル画像データを生成し（ステップＳＴ４）、サムネイル画像データに対してＬＣＤ１２６の表示特性に適合するようにサムネイル画像データにより表されるサムネイル画像の画質を向上させるセットアップ処理を施す（ステップＳＴ５）。次いで、メモリカード１０に保存されている画像データのそれぞれを識別する識別情報を生成する（ステップＳＴ６）。
【００４５】
そして、サムネイル画像データのタグに識別情報を記述することによりサムネイル画像データに識別情報を付与して、携帯電話５にサムネイル画像データを送信する（ステップＳＴ７）。また、メモリカード１０に記録されている画像データのタグに識別情報を記述することにより画像データに識別情報を付与する（ステップＳＴ８）。そして通信を切断して（ステップＳＴ９）、処理を終了する。
【００４６】
携帯電話５のＣＰＵ７２はサムネイル画像データを受信すると、メモリカード１２０にサムネイル画像データを記録し（ステップＳＴ１０）、通信が切断されると処理を終了する。
【００４７】
図５はデジタルカメラ３のメモリカード１０に記録されている元の画像データと、サムネイル画像データとの関係を示す図である。図５に示すように、元の画像データは例えば２８１６×２１２０（６Ｍピクセル）のサイズを有し、DSCF001.JPG、DSCF002.JPG…のようにファイル名が付与されている。一方、サムネイル画像データは１６０×１２０画素のサイズを有し、A01.JPG、A02.JPG…のようにファイル名が付与されている。また、元の画像データおよびサムネイル画像データのそれぞれに、nf001、nf002…の識別情報が付与されている。
【００４８】
図６第１の実施形態においてデジタルカメラからの画像の出力時に行われる処理を示すフローチャートである。なお、画像の出力時には、デジタルカメラ３はテレビ７およびプリンタ９と接続されているものとする。
【００４９】
ユーザが、携帯電話５の入力部８２を用いて携帯電話５のモードを画像出力モードに切り替え、ＣＰＵ７２が画像出力プログラムを起動することにより処理が開始される。また、ユーザはデジタルカメラ３についても入力部３２を用いてデジタルカメラ３のモードを画像出力モードに切り替える。
【００５０】
ユーザが携帯電話５の入力部８２を用いて、メモリカード１２０に記録されたサムネイル画像データのうちユーザが所望とするサムネイル画像データをＬＣＤ１２６に表示する指示を行うと、ＣＰＵ７２はその指示に応じてサムネイル画像データにより表されるサムネイル画像をＬＣＤ１２６に表示する（ステップＳＴ２１）。そして、ＣＰＵ７２はユーザが表示したサムネイル画像を表すサムネイル画像データに付与された識別情報の送信指示を行ったか否かの監視を開始し（ステップＳＴ２２）、ステップＳＴ２２が肯定されると、無線Ｉ／Ｆ１０２を介して現在表示しているサムネイル画像データに付与された識別情報をデジタルカメラ３に送信する（ステップＳＴ２３）。
【００５１】
デジタルカメラ３は識別情報を受信し（ステップＳＴ２４）、ＣＰＵ２２は、受信した識別情報が付与された画像データがメモリカード１０に記録されているか否かを判定し（ステップＳＴ２５）、判定結果を表す情報を携帯電話５に送信する（ステップＳＴ２６）。
【００５２】
携帯電話５のＣＰＵ７２は判定結果を表す情報を受信すると、判定結果に応じたアイコンをＬＣＤ１２６に表示する（ステップＳＴ２７）。図７はアイコンが表示されたＬＣＤ１２６を示す図である。受信した識別情報が付与された画像データがメモリカード１０に記録されている旨の判定結果を表す情報を受信した場合には、図７（ａ）に示すようにＬＣＤ１２６にはサムネイル画像とともに○印のアイコン１３０が表示される。逆に受信した識別情報が付与された画像データがメモリカード１０に記録されていない旨の判定結果を表す情報を受信した場合には、図７（ｂ）に示すようにＬＣＤ１２６には×印のアイコン１３２が表示される。
【００５３】
続いて、ＣＰＵ７２はユーザが入力部５２を用いてサムネイル画像データに対応する画像データのテレビ７への表示指示、プリンタ９からのプリント出力指示、次のサムネイル画像データのＬＣＤ１２６への表示指示および終了の指示のいずれの指示を行ったか否かを判定する（ステップＳＴ２８）。指示が次のサムネイル画像データのＬＣＤ１２６への表示指示である場合には、ステップＳＴ２１に戻り、次のサムネイル画像データにより表されるサムネイル画像をＬＣＤ１２６に表示する。指示が終了指示である場合には、処理を終了する。
【００５４】
指示がサムネイル画像データに対応する画像データのテレビ７への表示指示またはプリンタ９からのプリント出力指示である場合には、指示に応じた指示コマンドをデジタルカメラ３に送信する（ステップＳＴ２９）。
【００５５】
デジタルカメラ３のＣＰＵ２２は、指示コマンドに応じて画像データをテレビ７またはプリンタ９に出力する（ステップＳＴ３０）。すなわち、指示コマンドがテレビ７への表示指示である場合には、画像データをテレビ７に出力する。これによりテレビ７にはユーザが携帯電話５に表示したサムネイル画像に対応する画像が表示される。一方、指示コマンドがプリント９からのプリント出力指示である場合には、画像データをプリンタ９に出力する。これによりプリンタ９からはユーザが携帯電話５に表示したサムネイル画像に対応する画像がプリント出力される。
【００５６】
続いてＣＰＵ２２は、ユーザが画像出力モードを終了する指示を行ったか否かを判定し（ステップＳＴ３１）、ステップＳＴ３１が否定されるとステップＳＴ２４に戻って待機する。ステップＳＴ３１が肯定されると処理を終了する。
【００５７】
このように、第１の実施形態においては、携帯電話５のユーザが自身が所望とするサムネイル画像データをＬＣＤ１２６に表示し、所望とするサムネイル画像データに付与された識別情報をデジタルカメラ３に送信するのみで、デジタルカメラ３のメモリカード１０から所望とする画像データを探し出す作業を行うことなく、所望とする画像データをテレビ７に表示したり、プリンタ９からプリント出力することができる。
【００５８】
また、デジタルカメラ３からサムネイル画像データを携帯電話５に送信する際に、ＬＣＤ１２６の表示特性に応じてサムネイル画像データにより表されるサムネイル画像のサイズを変更するとともに画質を向上させるセットアップ処理を施すことにより、携帯電話５においてはＬＣＤ１２６の表示特性に応じた高画質のサムネイル画像を表示することができる。
【００５９】
また、デジタルカメラ３において識別情報を受信した後に、受信した識別情報が付与された画像データがメモリカード１０に記録されているか否かを判定して判定結果を表す情報を携帯電話５に送信し、記録されている場合には○印のアイコン１３０を、記録されていない場合には×印のアイコン１３２をＬＣＤ１２６に表示することにより、所望とする画像データがデジタルカメラ３に保存されているか否かをＬＣＤ１２６を見るのみで認識することができる。
【００６０】
なお、上記第１の実施形態においては、デジタルカメラ３のメモリカード１０に記録された画像データからサムネイル画像データを生成して携帯電話５に送信しているが、画像データをそのまま携帯電話５に送信してもよい。また、セットアップ処理を施さなくてもよい。この場合、携帯電話５において画像データからサムネイル画像データが生成されてさらにセットアップ処理が施されてＬＣＤ１２６に表示されることとなる。
【００６１】
また、上記第１の実施形態においては、サムネイル画像データを無線通信により携帯電話５に送信しているが、デジタルカメラ３のメモリカード１０と携帯電話５のメモリカード１２０とが同じ形式のものである場合には、メモリカード１０にサムネイル画像データを記録し、それを携帯電話５のメモリカードスロット８８に装填して、携帯電話５にサムネイル画像データを渡すようにしてもよい。
【００６２】
次いで、本発明の第２の実施形態による画像出力システムについて説明する。上記第１の実施形態においては、デジタルカメラ３により取得した画像データのサムネイル画像データを携帯電話５に送信しているが、第２の実施形態においては、携帯電話５において撮影により取得してメモリカード１２０に記録した画像データを、そのままデジタルカメラ３に送信してデジタルカメラ３のメモリカード１０に記録するようにしたものである。なお、第２の実施形態による画像出力システムは上記第１の実施形態による画像出力システムと同一の構成を有する。
【００６３】
次いで、第２の実施形態において行われる処理について説明する。まず、携帯電話５により取得されてメモリカード１２０に記録された画像データのデジタルカメラ３への送信について説明する。図８は第２の実施形態において画像データの送信時に行われる処理を示すフローチャートである。なお、画像データの送信時においては、デジタルカメラ３はテレビ７およびプリンタ９と接続されていなくてもよい。
【００６４】
ユーザが携帯電話５の入力部８２を用いて携帯電話５のモードを通信モードに切り替え、ＣＰＵ７２が画像送信プログラムを起動することにより処理が開始される。なお、ユーザはデジタルカメラ３の入力部３２を用いてデジタルカメラ３のモードも通信モードに切り替える。まず、ＣＰＵ７２は無線Ｉ／Ｆ１０２によりデジタルカメラ３と携帯電話５との通信を確立する（ステップＳＴ４１）。通信が確立すると、ＣＰＵ７２はＬＣＤ１２６のサイズに適合するように、メモリカード１０に記録された画像データにより表される画像のサイズを縮小してサムネイル画像データを生成し（ステップＳＴ４２）、サムネイル画像データに対してＬＣＤ１２６の表示特性に適合するようにサムネイル画像データにより表されるサムネイル画像の画質を向上させるセットアップ処理を施す（ステップＳＴ４３）。次いで、メモリカード１２０に保存されている元の画像データのそれぞれを識別する識別情報を生成する（ステップＳＴ４４）。
【００６５】
そして、元の画像データのタグに識別情報および携帯電話５を識別する装置識別情報を記述することにより元の画像データに識別情報および装置識別情報を付与して、デジタルカメラ３に元の画像データを送信する（ステップＳＴ４５）。次いで、元の画像データをメモリカード１０から削除し（ステップＳＴ４６）、サムネイル画像データに識別情報を付与し（ステップＳＴ４７）、識別情報が付与されたサムネイル画像データをメモリカード１２０に記録し（ステップＳＴ４８）、通信を切断して（ステップＳＴ４９）、処理を終了する。
【００６６】
一方、デジタルカメラ３は、画像データを受信すると画像データをメモリカード１０に記録し（ステップＳＴ５０）、通信が切断されると処理を終了する。
【００６７】
図９はデジタルカメラ３のメモリカード１０に記録されている元の画像データと、携帯電話５のメモリカード１２０に記録されているサムネイル画像データとの関係を示す図である。図９に示すように、元の画像データは例えば２８１６×２１２０（６Ｍピクセル）のサイズを有し、DSCF001.JPG、DSCF002.JPG…のようにファイル名が付与されている。一方、サムネイル画像データは１６０×１２０画素のサイズを有し、A01.JPG、A02.JPG…のようにファイル名が付与されている。また、元の画像データおよびサムネイル画像データのそれぞれに、nf001、nf002…の識別情報が付与されている。さらに、元の画像データには、携帯電話５を識別するmobile1234の装置識別情報が付与されている。
【００６８】
図１０は第２の実施形態においてデジタルカメラからの画像の出力時に行われる処理を示すフローチャートである。なお、画像の出力時には、デジタルカメラ３はテレビ７およびプリンタ９と接続されているものとする。
【００６９】
ユーザが、携帯電話５の入力部８２を用いて携帯電話５のモードを画像出力モードに切り替え、ＣＰＵ７２が画像出力プログラムを起動することにより処理が開始される。また、ユーザはデジタルカメラ３についても入力部３２を用いてデジタルカメラ３のモードを画像出力モードに切り替える。
【００７０】
ユーザは携帯電話５の入力部８２を用いて、メモリカード１２０に記録されたサムネイル画像データのうちユーザが所望とするサムネイル画像データをＬＣＤ１２６に表示する指示を行うと、ＣＰＵ７２はその指示に応じてサムネイル画像データにより表されるサムネイル画像をＬＣＤ１２６に表示する（ステップＳＴ６１）。そして、ＣＰＵ７２はユーザが表示したサムネイル画像を表すサムネイル画像データに付与された識別情報および携帯電話５の装置識別情報の送信指示を行ったか否かの監視を開始し（ステップＳＴ６２）、ステップＳＴ６２が肯定されると、無線Ｉ／Ｆ１０２を介して現在表示しているサムネイル画像データに付与された識別情報および携帯電話５の装置識別情報をデジタルカメラ３に送信する（ステップＳＴ６３）。
【００７１】
デジタルカメラ３は識別情報および装置識別情報を受信し（ステップＳＴ６４）、ＣＰＵ２２は、受信した識別情報および装置識別情報が付与された画像データがメモリカード１０に記録されているか否かを判定し（ステップＳＴ６５）、判定結果を表す情報を携帯電話５に送信する（ステップＳＴ６６）。
【００７２】
携帯電話５のＣＰＵ７２は判定結果を表す情報を受信すると、図７に示すように判定結果に応じたアイコンをＬＣＤ１２６に表示する（ステップＳＴ６７）。
【００７３】
続いて、ＣＰＵ７２はユーザが入力部５２を用いてサムネイル画像データに対応する画像データのテレビ７への表示指示、プリンタ９からのプリント出力指示、次のサムネイル画像データのＬＣＤ１２６への表示指示および終了の指示のいずれの指示を行ったか否かを判定する（ステップＳＴ６８）。指示が次のサムネイル画像データのＬＣＤ１２６への表示指示である場合には、ステップＳＴ６１に戻り、次のサムネイル画像データにより表されるサムネイル画像をＬＣＤ１２６に表示する。指示が終了指示である場合には、処理を終了する。
【００７４】
指示がサムネイル画像データに対応する画像データのテレビ７への表示指示またはプリンタ９からのプリント出力指示である場合には、指示に応じた指示コマンドをデジタルカメラ３に送信する（ステップＳＴ６９）。
【００７５】
デジタルカメラ３のＣＰＵ２２は、指示コマンドに応じて画像データをテレビ７またはプリンタ９に出力する（ステップＳＴ７０）。すなわち、指示コマンドがテレビ７への表示指示である場合には、画像データをテレビ７に出力する。これによりテレビ７にはユーザが携帯電話５に表示したサムネイル画像に対応する画像が表示される。一方、指示コマンドがプリント９からのプリント出力指示である場合には、画像データをプリンタ９に出力する。これによりプリンタ９からはユーザが携帯電話５に表示したサムネイル画像に対応する画像がプリント出力される。
【００７６】
続いてＣＰＵ２２は、ユーザが画像出力モードを終了する指示を行ったか否かを判定し（ステップＳＴ７１）、ステップＳＴ７１が否定されるとステップＳＴ６４に戻って待機する。ステップＳＴ７１が肯定されると処理を終了する。
【００７７】
なお、画像データをテレビ７に表示した場合、以下のように携帯電話５を画像を切り替え表示するためのリモコンとして機能させることができる。図１１は携帯電話をリモコンとして機能させた場合に行われる処理を示すフローチャートである。なお、ここではテレビ７にはすでに画像データが表示されているものとする。
【００７８】
デジタルカメラ３は携帯電話５からの指示を待っている状態にある（ステップＳＴ８１）。
【００７９】
携帯電話５のＣＰＵ７２はユーザが入力部８２を用いて行った次の画像への切り替え指示をデジタルカメラ３に送信する（ステップＳＴ８２）。なお、ここで次の画像とはファイル名が次の画像を意味するものとする。
【００８０】
デジタルカメラ３のＣＰＵ２２は、現在表示中の画像データの次の画像データに装置識別情報が付与されているか否かを判定する（ステップＳＴ８３）。ステップＳＴ８３が否定されると、次の画像データは誰が見てもよいものであることから、次の画像データをテレビ７に出力する（ステップＳＴ８４）。これによりテレビ７には次の画像データが表示される。
【００８１】
続いてＣＰＵ２２は、ユーザが画像出力モードを終了する指示を携帯電話５から行ったか否かを判定し（ステップＳＴ８５）、ステップＳＴ８５が否定されるとステップＳＴ８１に戻って待機する。ステップＳＴ８５が肯定されると処理を終了する。
【００８２】
ステップＳＴ８３が肯定されると、次の画像データに付与された装置識別情報が指示を行っている携帯電話５の装置識別情報と一致するか否かを判定する（ステップＳＴ８６）ステップＳＴ８６が肯定されるとステップＳＴ８４に進み、次の画像データをテレビ７に出力する。ステップＳＴ８６が否定されると、次の画像データは現在操作を行っている携帯電話５において取得されたものではないため、テレビ７に出力することなく、さらに次の画像データを処理対象に設定し（ステップＳＴ８７）、ステップＳＴ８３に戻る。
【００８３】
このように、第２の実施形態においては、携帯電話５のユーザが自身が所望とするサムネイル画像データをＬＣＤ１２６に表示し、所望とするサムネイル画像データに付与された識別情報をデジタルカメラ３に送信するのみで、デジタルカメラ３のメモリカード１０から所望とする画像データを探し出す作業を行うことなく、所望とする画像データをテレビ７に表示したり、プリンタ９からプリント出力することができる。
【００８４】
また、デジタルカメラ３において、携帯電話５を識別する装置識別情報を画像データに付与してメモリカード１０に記録し、携帯電話５からは自身の装置識別情報を識別情報とともにデジタルカメラ３に送信することにより、デジタルカメラ３においては、受信した装置識別情報および識別情報が付与された画像データのみ出力するようにしたため、画像データの出力指示を行っている携帯電話５のユーザ以外の他のユーザに、そのユーザの画像が見られてしまうことを防止することができる。
【００８５】
なお、上記第２の実施形態においては、携帯電話５において取得した画像データをデジタルカメラ３に送信しているが、テレビ７と接続されたＤＶＤプレーヤーに送信し、ＤＶＤプレーヤーを携帯電話５を用いて操作することにより、ＤＶＤプレーヤーからテレビ７に画像データを出力してテレビ７に画像データを表示するようにしてもよい。
【００８６】
また、上記第２の実施形態においては、携帯電話５のメモリカード１２０に記録された画像データからサムネイル画像データを生成して、元の画像データに代えてメモリカード１２０に記録しているが、サムネイル画像データを生成することなく、画像データをそのままメモリカード１２０に記録しておいてもよい。
【００８７】
また、上記第２の実施形態においては、画像データを無線通信によりデジタルカメラ３に送信しているが、デジタルカメラ３のメモリカード１０と携帯電話５のメモリカード１２０とが同じ形式のものである場合には、メモリカード１２０に画像データを記録し、それをデジタルカメラ３のメモリカードスロット３８に装填して読み出すことにより、デジタルカメラ３に携帯電話５が取得した画像データを渡すようにしてもよい。
【図面の簡単な説明】
【００８８】
【図１】本発明の第１の実施形態による画像出力システムの構成を示す概略ブロック図
【図２】デジタルカメラの構成を示す概略ブロック図
【図３】携帯電話の構成を示す概略ブロック図
【図４】第１の実施形態において画像データの送信時に行われる処理を示すフローチャート
【図５】第１の実施形態におけるデジタルカメラのメモリカードに記録されている元の画像データとサムネイル画像データとの関係を示す図
【図６】第１の実施形態においてデジタルカメラからの画像データの出力時に行われる処理を示すフローチャート
【図７】アイコンが表示されたＬＣＤを示す図
【図８】第２の実施形態において画像データの送信時に行われる処理を示すフローチャート
【図９】第２の実施形態におけるデジタルカメラのメモリカードに記録されている画像データとサムネイル画像データとの関係を示す図
【図１０】第２の実施形態においてデジタルカメラからの画像データの出力時に行われる処理を示すフローチャート
【図１１】携帯電話をリモコンとして機能させた場合に行われる処理を示すフローチャート
【符号の説明】
【００８９】
１    画像出力システム
３    デジタルカメラ
５    携帯電話
７    テレビ
９    プリンタ
【図１】
2005340998.tif 000003
【図２】
2005340998.tif 000004
【図３】
2005340998.tif 000005
【図４】
2005340998.tif 000006
【図５】
2005340998.tif 000007
【図６】
2005340998.tif 000008
【図７】
2005340998.tif 000009
【図８】
2005340998.tif 000010
【図９】
2005340998.tif 000011
【図１０】
2005340998.tif 000012
【図１１】
2005340998.tif 000013